(57)【要約】【課題】出走表の一部を選択することで、過去のレースに関する映像を配信するレース映像リンク型出走表配信システムを提供すること。【解決手段】本発明のレース映像リンク型出走表示システムは、過去のレースに関係する映像を、過去のレースの識別子と関連付けて記録する映像記憶装置（２０）と、新たなレースの出走表（５０）を作成する出走表作成装置（１０）と、出走表（５０）を表示する表示部（３３）を含む利用者端末（３０）と、を含む。出走表（５０）は、当該レースに出場する動物もしくは人を示す出走体の識別子と、出走体の過去のレースの成績データを含み、成績データは当該成績データが生じた過去のレースの識別子と関連付けられ、さらに、出走表作成装置（１０）は、表示部（３３）に表示された成績データの表示欄（６０）の一部が使用者により選択された場合、成績データに関連付けられた過去のレースの識別子を用いて映像記憶装置（２０）に記憶されている映像を検索し、表示部（３３）で表示するように送信する。【選択図】  図１
2004272680.tif 000002
【特許請求の範囲】
【請求項１】
過去のレースに関係する映像を、前記過去のレースの識別子と関連付けて記録する映像記憶装置と、
新たなレースの出走表を作成する出走表作成装置と、
前記出走表を表示する表示部を含む利用者端末と、
を含み、
前記出走表は、当該レースに出場する動物もしくは人を示す出走体の識別子と、前記出走体の過去のレースの成績データを含み、
前記成績データは当該成績データが生じた過去のレースの識別子と関連付けられ、
さらに、前記出走表作成装置は、前記表示部に表示された前記成績データの表示欄の一部が使用者により選択された場合、前記成績データに関連付けられた過去のレースの識別子を用いて前記映像記憶装置に記憶されている映像を検索し、前記表示部で表示するように送信する、
レース映像リンク型出走表示システム。
【請求項２】
前記利用者端末、前記映像記憶装置と前記出走表作成装置は、ネットワークで接続されている、
請求項１に記載されたレース映像リンク型出走表配信システム。
【請求項３】
さらに、前記出走表上で一の出走体の前記成績データが選択された場合、前記出走表作成装置は、当該出走表に、選択された前記成績データが生じたレースに出走していた他の出走体が存在するか検索し、選択された出走体の成績データと、当該レースに出走していた前記他の出走体の成績データとを、前記映像と共に表示するように、前記利用者端末に送信する、
請求項１または２に記載されたレース映像リンク型出走表配信システム。
【請求項４】
前記映像は、当該映像上の複数の出走体の表示の各々に表示と非表示が切替可能な識別表示を含み、
前記出走表作成装置は、前記映像を送付するときに、選択された前記成績データを含む出走表に含まれる出走体を検索し、前記出走体の前記識別表示を、前記映像上で表示するように制御する、
請求項１〜３のいずれかに記載されたレース映像リンク型出走表配信システム。
【請求項５】
前記映像は、当該映像上の複数の出走体の表示の各々に電子的に識別可能な識別表示を含み、前記出走表作成装置は、前記識別表示を抽出して、前記出走体の位置関係を示す模式図を作成する、
請求項１〜４のいずれかに記載されたレース映像リンク型出走表配信システム。
【請求項６】
前記成績データは、所定の場所での通過順位を含み、
前記出走表作成装置は、前記通過順位を参照して、当該レースの出走体の通過状況を、前記表示部に表示される当該レースのコース図上に表示する、
請求項１〜４のいずれかに記載されたレース映像リンク型出走表配信システム。
【請求項７】
前記レースは競馬レースであり、前記出走体は競走馬であり、前記出走体の識別子は競走馬の名前であり、
前記映像は、当該レースの映像、当該レース前のパドックの映像、もしくは、当該レース前の調教時の映像の少なくともいずれかである、
請求項１〜６のいずれかに記載されたレース映像リンク型出走表配信システム。
【請求項８】
前記レースは、競輪レース、競艇レース、オートレースのいずれかである、
請求項１〜６のいずれかに記載されたレース映像リンク型出走表配信システム。
【請求項９】
映像記憶装置に過去のレース映像が記憶されるステップと、
出走表作成者の入力に基づき、出走表作成装置が電子情報として出走表を作成するステップと、
前記出走表が、ネットワークを介して利用者端末で閲覧可能に配信されるステップと、
前記利用者端末で前記出走表に含まれる成績欄の一部が選択されたことに応答して、前記成績欄のレースに対応する前記レース映像が検索され、前記レース映像が配信されるステップと
を含む、
レース映像配信方法。
【請求項１０】
さらに、過去のレースの成績が記憶されるステップと、
前記出走表を作成するステップは、前記出走表作成者の入力に基づき、自動的に前記成績を検索して、前記出走表上に表示するステップを含む、
請求項９に記載されたレース映像配信方法。
【請求項１１】
前記レース映像が配信されるステップは、前記レース映像とともに、当該レース映像のレースに出走し、かつ、前記出馬表に記載のある出走体の成績を検索し、前記レース映像と同時に表示するように配信するステップを含む、
請求項９または１０に記載されたレース映像配信方法。
【請求項１２】
さらに、前記レース映像内の出走体には、電子的に印が付けられ、
前記レース映像が配信されるステップは、前記出走表に含まれる出走体が当該レース映像に含まれるか検索し、当該出走表に含まれる出走体で、かつ当該レース映像に含まれる出走体の前記印を、前記レース映像上で識別可能に表示するステップを含む、
請求項９〜１１のいずれかに記載されたレース映像配信方法。
【請求項１３】
前記レース映像が配信されるステップは、前記印の位置から前記出走体の位置関係を示す模式図を作成し、前記レース映像とともに配信するステップを含む、請求項１２に記載されたレース映像配信方法。
【請求項１４】
前記レース映像は、競馬、競輪、競艇、オートレースのいずれかの映像である、
請求項９〜１３のいずれかに記載されたレース映像配信方法。
【請求項１５】
前記レース映像は、競馬に関する映像であり、レースの映像、パドックの映像、調教の映像の少なくともいずれかを含む、
請求項９〜１３のいずれかに記載されたレース映像配信方法。
【発明の詳細な説明】
【０００１】
【発明の属する技術分野】
本発明は、レース映像リンク型出走表配信システムに関し、特に公営競技の順位予想に使用されるレース映像リンク型出走表配信システムに関する。
【０００２】
【従来の技術】
公営競技（競馬、競輪、競艇、オートレース）が行われている。これらの公営競技では、投票者がレース結果を予想して投票券を購入し、予想が的中した場合に、オッズに基づく払い戻し金を受け取ることができる。
【０００３】
投票者は、新聞などに記載された出走表を見て、レース結果を予想する。図１０に競馬用の出走表５００の一部が示される。出走表５００は、レースごとに作成され、出走馬ごとに、枠・馬番欄５０１、馬名・親情報・性別・年齢欄５０２、斤量欄５０３、騎手欄５０４、厩舎欄５０５、予想欄５０６、成績統計欄５０７、複数の過去のレースの成績欄５１０−１〜５１０−ｎが掲載される。
各成績欄５１０−ｎは、その欄の馬が過去に出走したレースの情報およびその馬の成績が記載されている。具体的には、開催場所、日付、枠順、馬場状態、レース名、距離、出走数、着順、騎手、斤量、コース、ペース、通過順位、不利の有無、タイム、勝馬（当該馬が勝馬の場合、２着馬）、勝馬とのタイム差（当該馬が勝馬の場合、２着馬とのタイム差）、馬体重、人気の情報が含まれる場合がある。その他、調教の情報（時計や調教の強さ）が掲載される場合がある。
投票者は、出走表をみて、出走馬の能力や調子を判断し、予想を行う。
【０００４】
競馬やその他の公営競技では、レースに出走する馬や人にランクが付けられている。競馬の場合、競走馬は新馬戦もしくは未勝利戦から出走し、勝利数や賞金獲得によりランクが上がり、より上位のレースに出場できるようになる。また、競走馬は脚質により所定の範囲の距離のレースに出場し、さらに、同じようなローテーションを組む。このため能力の近い競走馬は、同じレースに出走し、何度も争う場合がある。このため、過去のレースの結果は、勝馬の予想に重用される。
【０００５】
上記のように、出走表の成績欄５１０−ｎには過去のレースの結果に関する情報が多く含まれている。しかし、投票者は、成績欄を見てレースの状況を完全に把握することはできない。具体的には、レース展開、位置取りの悪さや他の馬との関係、芝の状況、記録に残らない不利などである。
【０００６】
また、投票者はパドックで出走馬の状態を確認する場合があるが、出走馬の状態は、他の出走馬と比較してもよく分からない。競走馬には、個性があり、レース前に示すしぐさや、筋肉の付き方、汗のかき方が異なるためである。このため、同一の競走馬について、過去のレースのパドックの状況と比較できることが好ましい。
【０００７】
さらに、過去のレースにおける調教の状況と、予想するレースにおける調教の状況を比較できることが好ましい。
【０００８】
映像データを蓄積する映像配信サーバと、商品情報を蓄積して商品を提示し及び商品の購入を受付ける購入受付サーバと、前記映像配信サーバ及び購入受付サーバにネットワークを介して接続された少なくとも一つ以上の端末機とからなり、購入する商品またはサービスが購入時点で形状を持たない場合や、映像そのものが商品であり、商品情報として映像を配信することができない場合に、過去の同種の商品またはサービスを映像で表現することが可能なものをユーザの購入の際の参考情報として提供し、ユーザの購入決定を支援することを特徴とする通信販売システムが公開されている。（例えば、特許文献１）
【０００９】
【特許文献１】
特開２００２−２３０３６４号公報
【００１０】
【発明が解決しようとする課題】
本発明の目的は、出走表の一部を選択することで、過去のレースに関する映像を配信するレース映像リンク型出走表配信システムを提供することにある。
【００１１】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１２】
本発明のレース映像リンク型出走表示システムは、過去のレースに関係する映像を、過去のレースの識別子と関連付けて記録する映像記憶装置（２０）と、新たなレースの出走表（５０）を作成する出走表作成装置（１０）と、出走表（５０）を表示する表示部（３３）を含む利用者端末（３０）と、を含む。
出走表（５０）は、当該レースに出場する動物もしくは人を示す出走体の識別子と、出走体の過去のレースの成績データを含み、成績データは当該成績データが生じた過去のレースの識別子と関連付けられ、さらに、出走表作成装置（１０）は、表示部（３３）に表示された成績データの表示欄（６０）の一部が使用者により選択された場合、成績データに関連付けられた過去のレースの識別子を用いて映像記憶装置（２０）に記憶されている映像を検索し、表示部（３３）で表示するように送信する。
【００１３】
さらに本発明のレース映像リンク型出走表示システムは、利用者端末（３０）と、映像記憶装置（２０）と出走表作成装置（１０）は、ネットワーク（４０）で接続されている。
【００１４】
本発明のレース映像リンク型出走表示システムにおいて、出走表（５０）上で一の出走体の成績データが選択された場合、出走表作成装置（１０）は、当該出走表（５０）に、選択された成績データが生じたレースに出走していた他の出走体が存在するか検索し、選択された出走体の成績データ（１５１）と、当該レースに出走していた他の出走体の成績データ（１５２）とを、映像と共に表示するように、利用者端末（３０）に送信する。
【００１５】
本発明のレース映像リンク型出走表示システムにおいて、映像は、当該映像上の複数の出走体の表示の各々に表示と非表示が切替可能な識別表示（１３１、１３２）を含み、出走表作成装置（１０）は、映像を送付するときに、選択された成績データを含む出走表（５０）に含まれる出走体を検索し、その出走体の識別表示（１３１、１３２）を、映像（１３０）上で表示するように制御する。
【００１６】
本発明のレース映像リンク型出走表示システムにおいて、映像は、当該映像上の複数の出走体の表示の各々に識別表示（１３１、１３２）を含み、出走表作成装置（１０）は、識別表示（１３１、１３２）を抽出して、出走体の位置関係を示す模式図（１２０）を作成する。
【００１７】
本発明のレース映像リンク型出走表示システムにおいて、成績データ（６０）は、所定の場所での通過順位を含み、出走表作成装置（１０）は、通過順位を参照して、当該レースの出走体の通過状況を、表示部（３３）に表示される当該レースのコース図（１４０）上に表示する。
【００１８】
本発明のレース映像リンク型出走表示システムにおいて、レースは競馬レースであり、出走体は競走馬であり、出走体の識別子は競走馬の名前であり、映像は、当該レースの映像、当該レース前のパドックの映像、もしくは、当該レース前の調教時の映像の少なくともいずれかである。
【００１９】
本発明のレース映像リンク型出走表示システムにおいて、レースは、競輪レース、競艇レース、オートレースのいずれかである。
【００２０】
本発明のレース映像配信方法は以下のステップを含む。
映像記憶装置（２０）に過去のレース映像が記憶されるステップ。
出走表作成者の入力に基づき、出走表作成装置（１０）が電子情報として出走表（５０）を作成するステップ。
出走表（５０）が、ネットワークを介して利用者端末（３０）で閲覧可能に配信されるステップ。
利用者端末（３０）で出走表（５０）に含まれる成績欄（６０）の一部が選択されたことに応答して、成績欄（６０）のレースに対応するレース映像が検索され、レース映像が配信されるステップ。
【００２１】
さらに、本発明のレース映像配信方法は、過去のレースの成績が記憶されるステップを含む。
出走表（５０）を作成するステップは、出走表作成者の入力に基づき、自動的に成績を検索して、出走表（５０）上に表示するステップを含む。
【００２２】
さらに、本発明のレース映像配信方法における、レース映像が配信されるステップは、レース映像とともに、当該レース映像のレースに出走し、かつ、出馬表（５０）に記載のある出走体の成績を検索し、レース映像と同時に表示するように配信するステップを含む。
【００２３】
さらに、本発明のレース映像配信方法における、レース映像内の出走体には、電子的に印（１３１、１３２）が付けられ、レース映像が配信されるステップは、出走表（５０）に含まれる他の出走体が当該レース映像に含まれるか検索し、当該出走表（５０）に含まれる出走体で、かつ当該レース映像に含まれる出走体の印（１３１、１３２）を、レース映像上で識別可能に表示するステップを含む。
【００２４】
さらに、本発明のレース映像配信方法における、レース映像が配信されるステップは、印（１３１、１３２）の位置から出走体の位置関係を示す模式図（１２０、１４０）を作成し、レース映像とともに配信するステップを含む。
【００２５】
本発明のレース映像配信方法における、レース映像は、競馬、競輪、競艇、オートレースのいずれかの映像である。
【００２６】
本発明のレース映像配信方法における、レース映像は、競馬に関する映像であり、レースの映像、パドックの映像、調教の映像の少なくともいずれかを含む。
【００２７】
【発明の実施の形態】
添付図面を参照して、本発明によるレース映像リンク型出走表配信システムの実施の形態を以下に説明する。
【００２８】
図１に本発明のレース映像リンク型出走表配信システムの構成が示される。
レース映像リンク型出走表配信システムは、出走表処理用サーバ１０、レース映像処理用サーバ２０、利用者端末３０を含む。出走表処理用サーバ１０、レース映像処理用サーバ２０は同一の装置でもよい。
出走表処理用サーバ１０およびレース映像処理用サーバ２０と、利用者端末３０はインターネットに例示されるネットワーク４０で接続されている。
【００２９】
出走表処理用サーバ１０は、コンピュータに代表され、プログラムにより本発明の機能を実現する。出走表処理用サーバ１０は、電子的手段により出走表を作成し、ＷＷＷのホームページなどを通じて利用者端末３０に送信することができる。さらに、出走表処理用サーバ１０は、利用者端末３０からの成績欄の選択信号に応答して、レース映像処理用サーバ２０に記憶されている映像を検索し、映像を処理して、利用者端末３０に送信することができる。
出走表処理用サーバ１０は、演算部１１、入力部１２、記憶部１３、インターフェイス部１４を具備する。
【００３０】
演算部１１は、ＣＰＵを含む計算実行部分である。演算部１１は、画像処理部１５を含む場合がある。演算部１１は、出走表作成者の入力に基づき、出走表を作成し、出走表の画面と映像データとのリンクを張ることができる。さらに、利用者端末３０からの信号により、所定のデータを検索し、利用者端末３０に送信するように制御することができる。
画像処理部１５は、レース映像の出走体毎に電子的に付けられた印もしくは出走体そのものを認識し、印の表示や、位置関係を示す模式図の表示、コース上における位置取りの表示などを行う。
【００３１】
入力部１２は、キーボードやマウスに例示される入力装置である。入力部１２は、出走表作成者によるデータ入力に使用される。
【００３２】
記憶部１３は、データ記憶装置であり、出走表データベース１６、成績データベース１７を含む。
出走表データベース１６は、出走表のデータを記憶する。出走表は、出走表作成者が入力したデータと、演算部１１が成績データベース１７から検索したデータにより作成される。出走表の詳細は後述される。
成績データベース１７は、過去のレースにおける各競走馬の成績を記憶する。成績データベース１７の成績データは、出走表作成者により入力される。もしくは、成績データベース１７のデータは、他のデータベースから移送される。
【００３３】
インターフェイス部１４は、ネットワーク４０と接続され、利用者端末３０やレース映像処理用サーバ２０とのデータの送受信のインターフェースを行う。
【００３４】
レース映像処理用サーバ２０は、サーバなどのコンピュータに例示される。レース映像処理用サーバ２０は、レースに関する映像を、レースを示す識別子と関連付けて記録する。映像を、競走馬の識別子と関連付けて記憶する場合もある。レース映像処理用サーバ２０は、演算部２１、入力部２２、記憶部２３を含む。
【００３５】
演算部２１は、ＣＰＵを含む計算実行部分である。演算部２１は、記憶部２３へのデータの書き込み、読出し、検索を行うことができる。
【００３６】
入力部２２は、キーボード、マウス、情報入力端子などのデータ入力部分である。
【００３７】
記憶部２３は、ハードディスクに例示される記憶装置で映像データを記憶する。記憶部２３は、レース映像データベース２４、パドック映像データベース２５、調教映像データベース２６を記憶する場合がある。さらに、映像データを管理するための映像データベーステーブル２７を記憶する場合がある。
【００３８】
レース映像処理用サーバ２０には、入力部２２から映像４５が入力される。さらに、映像管理者は、映像とレースの識別子もしくは、映像とレースの識別子と競走馬の識別子とを関連付けて記憶部２３の映像データベーステーブル２７に記憶する。
【００３９】
利用者端末３０は、ネットワーク４０に接続されたパーソナルコンピュータに例示される。利用者端末３０は、複数でもよい。利用者端末３０は、勝馬を予想する利用者に使用される。
利用者端末３０は、ネットワーク４０を通じて、出走表処理用サーバ１０にアクセスし、Ｗｅｂページなどで配信されている出走表から、利用者の指定するレースに関する出走表を受信して、表示することができる。さらに、利用者の選択により、必要な映像を受信して、表示することができる、
利用者端末３０は、演算部３１、入力部３２、表示部３３を具備する。
演算部３１は、ＣＰＵを含むパーソナルコンピュータ本体に例示される。入力部３２は、キーボードやマウスに例示される。表示部３３は、ディスプレイに例示される。
【００４０】
次に図２を参照して、出走表処理用サーバ１０で作成され、利用者端末３０で受信して表示される出走表５０の例が説明される。
出走表５０は、レースごとに作成される。出走表５０は、新聞等に掲載される出走表を同様の形式を有する場合がある。出走表５０は、開催場所、開催日、レース番号、レース名、距離、条件を含むレース情報欄５１と出走する競走馬情報欄６５を含む。
競走馬情報欄６５は、出走馬Ａ〜Ｎごとに、枠・馬番欄５２、馬名・馬固有情報欄５３、斤量欄５４、騎手欄５５、厩舎欄５６、予想欄５７、成績統計欄５８、前三走分の成績欄６０ａ〜６０ｃを含む。
枠・馬番欄５２は、そのレースにおけるその出走馬の枠順と馬番を含む。
馬名・馬固有情報欄５３は、識別子としての馬名と、父・母・性別・年齢・毛色の情報を含む。
斤量欄５４は、そのレースにおいて、その出走馬が背負う重量の情報を含む。
騎手欄５５は、そのレースでその出走馬に騎乗する騎手名を含む。
厩舎欄５６は、その出走馬を調教している厩舎名を含む。
予想欄５７は、記者などが勝馬の予想した情報を含む。
成績統計欄５８は、開催地ごと、距離ごと、馬場状態ごとなどの競争成績の統計の情報を含む。
前三走分の成績欄６０ａ〜６０ｃは、その出走馬の過去のレースの成績を含み、レースごとに、開催場所、日付、枠順、馬場状態、レース名、距離、出走数、着順、騎手、斤量、コース、ペース、通過順位、不利の有無、タイム、勝馬（当該馬が勝馬の場合、２着馬）、勝馬とのタイム差（当該馬が勝馬の場合、２着馬とのタイム差）、馬体重、人気の情報が含まれる。さらに、本発明では、各成績欄ごとに、レース映像表示ボタン６６、パドック映像表示ボタン６７、調教映像表示ボタン６８が表示される。
利用者は、利用者端末３０の表示部３３に表示された出走表５０のレース映像表示ボタン６６、パドック映像表示ボタン６７、調教映像表示ボタン６８のいずれかを、入力部３２を操作して、画面に表示されたポインタ７０により選択することで、指定したレースの、レース映像、パドック映像、調教映像を表示することができる。特に、表示する映像の種類が単数の場合は、特にレース映像表示ボタン６６、パドック映像表示ボタン６７、調教映像表示ボタン６８を設けず、成績欄６０の一部を選択することで映像を表示するように構成することもできる。
なお、成績欄６０ａ〜６０ｃは、前三走分に限定されず、それ以上またはそれ以下でもよい。
【００４１】
さらに、出走表５０において、その出走表のレースに出走する馬が過去同じレースに出走していた場合、同じレースに出走していることを識別が容易になるように表示することができる場合がある。具体的には、馬名Ａの三前走６０ｃ−Ａと、馬名Ｎの二前走６０ｂ−Ｎが同じレースの時、画面上で同一の色で識別可能に表示することができる。
【００４２】
次に、図３を参照して、出走表５０の所定のレース映像表示ボタン６６が選択された場合に、表示部３３に表示されるレース表示画面１００の例が示される。
レース表示画面１００には、レース識別子表示欄１１０、出走馬位置情報１２０、レース映像１３０、オーバービュー１４０、出走馬成績１５０が表示される。
レース識別子表示欄１１０は、レース名とそのレースが開催された日付を含む。
出走馬位置情報１２０は、各競走馬の位置関係を模式的に記号で表したものである。各競走馬を示す記号１２１〜１２６には、その馬の馬番が記載される。出走表上で選択された馬の表示および、そのレース映像のレースに出走した馬のうち出走表５０に記載された別の馬がいる場合はその馬の表示が識別可能に表示されることが好ましい。出走馬位置情報１２０は、レース画像から画像処理により抽出されて作成される場合がある。もしくは、映像中の各馬にはスーパーインポーズによりどの馬の印か電子的に識別可能な印が付けられ、その印を抽出することにより演算部１１が、出走馬位置情報１２０を作成する場合がある。
レース映像１３０は、選択された成績欄６０の成績が発生したレースの映像である。レース映像１３０には、馬毎に識別可能な印１３１、１３２がスーパーインポーズで付けられている場合がある。印１３１、１３２は各馬に、画像処理もしくはマニュアルで取り付けられ、馬名などの識別子と関連付けられる。印１３１、１３２は表示、非表示の切替可能で、演算部１１は、関係する馬（例えば出走表５０に記載されている馬）の印のみを判別して、表示するように制御することができる。
オーバービュー１４０は、レースコースを上からみた模式図で、競走馬の位置関係を表示することができる。オーバービュー１４０はレース映像内の印１３１、１３２などの位置から作成される。もしくは、出走表５０の成績６０に含まれる通過順位を基に作成される場合がある。
出走馬成績１５０は、出走表５０に記載され、かつ、そのレース映像のレースに出走した馬の成績の情報が表示される。具体的には、出走表５０で馬名Ａの前三走のレース映像が選択された場合、馬名Ａの成績１５１と、同じレースに出走していた馬名Ｎの成績１５２が表示される。各出走馬成績１５０は、馬名、枠、着順、脚質（逃げ、追込など）、走破タイム、上り３ハロンのタイムを含む。
【００４３】
次に図４を参照して、出走表５０の所定のパドック映像表示ボタン６７が選択された場合に、表示部３３に表示されるパドック表示画面２００の例が示される。
パドック表示画面２００は、レース識別子表示欄２１０、パドック映像２２０、出走馬成績２３０を含む。
レース識別子表示欄２１０は、レース名とそのレースが開催された日付などレースを特定する情報を含む。
パドック映像２２０は、その成績が発生した時のパドックの映像を表示する。パドックの映像は、レース毎の映像の場合と、馬毎の映像の場合がある。
出走馬成績２３０は、パドック映像がレース毎に表示される場合は、選択された馬の情報２３１と、出走表５０に記載され、かつ、そのパドック映像のレースに出走した他の馬の成績２３２の情報が表示される場合がある。もしくは、パドック映像が馬毎に表示される場合は、選択された馬の情報のみが表示される場合がある。出走馬成績２３０は、馬名と、そのパドック映像のレースにおける枠、着順、馬体重、体重の増減、調教情報を含む場合がある。
【００４４】
出走表５０の所定の調教映像表示ボタン６８が選択された場合に、その選択された前走時の調教映像が表示される。
【００４５】
次に、図５、図６、図７を参照して、成績データベース１７の例が説明される。
成績データベース１７は、レースデータテーブル１７−１、出走馬データテーブル１７−２、馬データテーブル１７−３を含む。
図５は、レースデータテーブル１７−１を示す。図６は、出走馬データテーブル１７−２を示す。図７は、馬データテーブル１７−３を示す。
【００４６】
レースデータテーブル１７−１は、レース毎の情報を含み、レース名、開催場所、開催日、距離、馬場状態、コース、出走数、ペース、勝馬、出走馬データテーブル１７−１を示す出走馬データ名を含む。
出走馬データテーブル１７−２は、レース毎に作成され、レース名と、そのレースに出走した各馬の成績などの情報を含む。各馬の成績は、馬名、着順、騎手、斤量、馬体重、人気、タイム、タイム差、通過順位、不利の有無などを含む。
馬データテーブル１７−３は、馬ごとに作成され、出走したレース名を含む。さらに、馬データテーブル１７−３は、父・母・歳、性別、厩舎などの固有の情報を含む場合がある。
演算部１１は、レースデータテーブル１７−１、出走馬データテーブル１７−２、馬データテーブル１７−３を検索して、成績欄６０を作成することができる。
【００４７】
次に、図８を参照して、記憶部２３に記憶される映像データベース２４、２５、２６を管理する映像データベーステーブル２７の例が示される。映像データベーステーブル２７は、記憶部２３に記憶される。
映像データベーステーブル２７は、レース名と関連つけてレース画像名を記憶する。さらに、レース名および出走馬名と関連付けて、パドック映像名、調教映像名を記憶する。パドック映像名は、レース名のみに関連付けられ、そのレースの出走馬全てのパドックの様子を記録している映像を示す場合もある。
【００４８】
（動作）
次に、図９を参照して、本発明のレース映像リンク型出走表配信システムの動作が説明される。
【００４９】
出走表作成者は、レースの成績のデータを、出走表処理用サーバに入力する（Ｓａ１）。成績のデータは、図５、図６、図７で説明された、レースデータテーブル１７−１、出走馬データテーブル１７−２、馬データテーブル１７−３に含まれるデータを含む。成績のデータは、出走表作成者が直接入力するほか、他のデータベースからインポートすることもできる。なお、馬データテーブル１７−３は、出走馬データテーブル１７−２から、演算部１１により自動的に作成される場合もある。
成績のデータは、成績データベース１７に記憶され、蓄積される（Ｓａ２）。
【００５０】
出走表作成者は、出走表５０を作成するとき、レース情報欄５１の情報と新たなレースの出走馬を出走表５０の決められた枠（馬固有情報欄５３）に入力する。さらに、斤量欄５４、騎手欄５５、予想欄５７を入力する（Ｓｂ１）。
馬固有情報欄５３の馬名以外の情報は、演算部１１が馬データテーブル１７−３を検索して自動的に表示させることができる。さらに、成績統計欄５８、前三走分の成績欄６０ａ〜６０ｃは、演算部１１が、レースデータテーブル１７−１、出走馬データテーブル１７−２、馬データテーブル１７−３を検索して取得する（Ｓｂ３）。演算部１１は、取得したデータを出走表５０の所定の位置に表示して出走表５０を作成する。作成された出走表５０は。出走表データベース１６に記憶される（Ｓｂ４）
【００５１】
映像管理者は、レース映像処理用サーバ２０に、映像データを入力する（Ｓｄ１）。記憶部２３が、映像データベース２４、２５、２６に記憶する。さらに、映像データは、映像データベーステーブル２７に情報が入力され管理される。
映像データのレース映像には、スーパーインポーズなどで各馬に、印が付けられ記憶される場合がある。印は、マニュアルで付けられる場合と、画像認識処理により付けられる場合がある。具体的には、画像中の出走馬のゼッケンの番号、色、騎手の服、帽子の色を認識して、馬番と関連付けた印を付けることができる。
【００５２】
利用者は、利用者端末３０を使用して、出走表処理用サーバ１０にアクセスし、ホームページなどで配信されている出走表５０を選択する（Ｓｅ１）。出走表５０が選択されると、利用者端末３０から信号が、インターフェイス部１４に送信され、演算部１１により所定の出走表５０が出走表データベース１６から選択され、利用者端末に送付され、表示部３３で表示される（Ｓｅ２）。
【００５３】
利用者は、出走表５０上の、所定の出走馬の成績欄６０のレース映像表示ボタン６６、パドック映像表示ボタン６７、調教映像表示ボタン６８のいずれかを選択する（Ｓｅ３）。
選択された映像の送信命令を含む情報は、出走表処理用サーバ１０のインターフェイス部１４に送信され、その映像の送信命令が、出走表処理用サーバ１０からレース映像処理用サーバ２０に送信される。レース映像処理用サーバ２０の演算部２１は、指定された映像を検索し（Ｓｄ３）、出走表処理用サーバ１０に送信する。出走表処理用サーバ１０は、映像を受信し、画像処理部１５で画像編集を行う（Ｓｃ１）。具体的には、出走馬位置情報１２０と、オーバービュー１４０の作成、および、レース映像１３０の印１３１、１３２の表示切替である。
画像処理部１５は、レース映像中の印をもとに、出走馬位置情報１２０とオーバービュー１４０を作成する。さらに、画像処理部１５は、出走表５０に記載されている馬が、そのレース映像のレースに出走しているか出走馬データベース１７−２を検索し、出走している場合は、出走馬位置情報１２０の記号１２１〜１２６の表示色を変更することができる。さらに、同じレースに出走していた出走馬のレース映像１３０中の印１３１、１３２を表示するように、切替を行うことができる。
さらに、画像処理部１５は、利用者に選択された馬の成績と、出走表５０に記載され同じレースに出走していた馬の成績を、出走馬データベース１７−２から検索し表示するように画面を構成する。
【００５４】
出走表処理用サーバ１０は、利用者端末３０に、映像データを送信する。利用者端末３０は、映像を受信し、表示部３３に表示する。
【００５５】
なお、画像処理は、必要なデータを出走表処理用サーバ１０から受信することで、レース映像処理用サーバ２０で行われてもよい。また、映像取得の信号は、利用者端末３０から直接、レース映像処理用サーバ２０に送信され、レース映像処理用サーバ２０から、利用者端末３０へ映像データが送信される場合がある。
【００５６】
上記のように、出走表５０の成績欄６０から、その成績が発生したレースに関する映像を指定することができることにより、成績欄６０に記載されている情報に加え、より具体的な映像を見ることができる。また、過去のレースにおける、パドック映像、調教映像を見ることができることにより、新たなレースの調教映像やパドック映像と比較して、出走馬の調子を判断することができる。なお、過去のレースにおける調教映像やパドック映像と、出馬表のレースに関する調教映像やパドック映像とを同時に表示できるよう構成することができることは、さらに好ましい。
また、レース映像などの映像の表示において、同じレースに出場した他の馬が含まれる場合、当該他の馬も識別可能に表示することで、馬の比較を容易にすることができる。
【００５７】
本実施例では、出走表処理用サーバ１０とレース映像処理用サーバ２０が、別々に備えられているが、同一の装置でもよい。
【００５８】
【発明の効果】
本発明のレース映像リンク型出走表配信システムは、出走表の一部を選択することで、過去のレースに関する映像を配信することができる。
【図面の簡単な説明】
【図１】図１は、本発明のレース映像リンク型出走表配信システムの構成を示す。
【図２】図２は、出走表の例を示す。
【図３】図３は、表示部に表示されるレース表示画面の例を示す。
【図４】図４は、表示部に表示されるパドック表示画面の例を示す。
【図５】図５は、レースデータテーブルの例を示す。
【図６】図６は、出走馬データテーブルの例を示す。
【図７】図７は、馬データテーブルの例を示す。
【図８】図８は、映像データベーステーブルの例を示す。
【図９】図９は、本発明のレース映像リンク型出走表配信システムの動作を示す。
【図１０】図１０は、従来の競馬用の出走表の一部を示す。
【符号の説明】
１０  出走表処理用サーバ
１１  演算部
１２  入力部
１３  記憶部
１４  インターフェイス部
１５  画像処理部
１６  出走表データベース
１７  成績データベース
１７−１  レースデータテーブル
１７−２  出走馬データテーブル
１７−３  馬データテーブル
２０  レース映像処理用サーバ
２１  演算部
２２  入力部
２３  記憶部
２４  レース映像データベース
２５  パドック映像データベース
２６  調教映像データベース
２７  映像データベーステーブル
３０  利用者端末
３１  演算部
３２  入力部
３３  表示部
４０  ネットワーク
４５  映像
５０  出走表
５１  レース情報欄
５２  枠・馬番欄
５３  馬名・馬固有情報欄
５４  斤量欄
５５  騎手欄
５６  厩舎欄
５７  予想欄
５８  成績統計欄
６０（６０ａ〜６０ｃ）  成績欄
６５  競走馬情報欄
６６  レース映像表示ボタン
６７  パドック映像表示ボタン
６８  調教映像表示ボタン
１００  レース表示画面
１１０  レース識別子表示欄
１２０  出走馬位置情報
１２１〜１２６  記号
１３０  レース映像
１３１  印
１３２  印
１４０  オーバービュー
１５０  出走馬成績
１５１  （馬名Ａの）成績
１５２  （馬名Ｎの）成績
２００  パドック表示画面
２１０  レース識別子表示欄
２２０  パドック映像
２３０  出走馬成績
２３１  情報
２３２  情報
５００  出走表
５０１  枠・馬番欄
５０２  馬名・親情報・性別・年齢欄
５０３  斤量欄
５０４  騎手欄
５０５  厩舎欄
５０６  予想欄
５０７  統計欄
５１０−１〜５１０−ｎ  レースの成績欄
【図１】
2004272680.tif 000003
【図２】
2004272680.tif 000004
【図３】
2004272680.tif 000005
【図４】
2004272680.tif 000006
【図５】
2004272680.tif 000007
【図６】
2004272680.tif 000008
【図７】
2004272680.tif 000009
【図８】
2004272680.tif 000010
【図９】
2004272680.tif 000011
【図１０】
2004272680.tif 000012